(57)【要約】      （修正有）【課題】ホンマグロ、ビンナガ、メバチ、及びキハダ（以下、略して、マグロとする）の養殖は、直径が２０ｍ以上、深さが１０ｍの生け簀網でないと、マグロが生け簀網に衝突をして首の骨を折り、死亡してしまうことから出来ないとされているが、直径が１０ｍの円形形状をした生け簀網であっても、また、１０ｍ×１０ｍの４角形状をした生け簀網であっても、マグロの養殖を可能とする生け簀網及びその装置を提供する。【解決手段】生け簀網１が素材が銅、又は鉄を亜鉛メッキしている針金で作られた金網を使用して、又は銅線を入れて出来ている導電性の糸で編網をしている漁網を使用して出来ている直径が１０ｍの円形形状の生け簀網１や１０ｍ×１０ｍの４角形状の生け簀網１に、交流電流、又はパルス電流を流して、生け簀網１の内側に電流の防御壁を形成する。【選択図】図１
2013215117.tif 000002
【特許請求の範囲】
【請求項１】
マグロを養殖する目的の生け簀網（１）が、素材が銅、又は鉄を亜鉛メッキしている針金を使用して出来ている金網を使用して出来ている生け簀網（１）、又は銅線を入れて出来ている導電性の糸を使用して、編網をしている漁網を使用して、例えば、直径が１０ｍの円形形状をした形状にて出来ている、生け簀網（１）に交流（ＡＣ）を印加して交流電流を流して電流の防御壁を生け簀網（１）の内側に形成をしている、生け簀網（１）の内部にてマグロ（３）を養殖することを特徴としたマグロの養殖、及びその装置。
【請求項２】
マグロを養殖する目的の生け簀網（１）が、例えば、１０ｍ×１０ｍの４角形状をした生け簀網（１）の内側の内壁に沿って、素材が銅、又は鉄を亜鉛メッキをした導電性の金網で出来ている４角形状をした、金網（４）に交流（ＡＣ）を印加して、交流電流を流して電流の防御壁を生け簀網（１）の内側に形成をしている、生け簀網（１）の内部にてマグロ（３）を養殖することを特徴としたマグロの養殖、及びその装置。
【請求項３】
マグロを養殖する目的の生け簀網（１）が、例えば、１０ｍ×１０ｍの４角形状をした生け簀網（１）の内側の内壁に沿って、素材が銅、又は鉄を亜鉛メッキをした導電性の金網で出来ている円形形状をした、金網（５）に交流（ＡＣ）を印加して交流電流を流して電流の防御壁を生け簀網（１）の内側に形成をしている、生け簀網（１）の内部にてマグロ（３）を養殖することを特徴としたマグロの養殖、及びその装置。
【請求項４】
マグロを養殖する目的の生け簀網（１）が、例えば、直径が１０ｍで、深さが１０ｍのポリエチレン樹脂などで出来ている生け簀網（１）の内側に、例えば、９０００Ｖのパルス波長の電流を印加して、マグロが生け簀網（１）に衝突をするのを防止する目的のために、生け簀網（１）の内側に海水面に対して平行状態の横方向に数１０本の電線（６）、及び（７）を生け簀網（１）の内側に沿って、生け簀網（１）の周りにパルス波長の電流を印加する目的のための電線（６）、及び（７）を生け簀網（１）に取り付けている、生け簀網（１）の内部にてマグロ（３）を養殖することを特徴としたマグロの養殖、及びその装置。
【請求項５】
マグロを養殖する目的の生け簀網（１）が、例えば、直径が１０ｍで、深さが１０ｍのポリエチレン樹脂などで出来ている生け簀網（１）の内側に、例えば、マグロが生け簀網（１）に衝突をするのを防止する目的のために、生け簀網（１）の内側に海水面に対して平行状態の横方向に数１０本の有刺鉄線（８）を生け簀網（１）の内側に沿って、生け簀網（１）の周りに有刺鉄線（８）を生け簀網（１）に取り付けている、生け簀網（１）の内部にてマグロ（３）を養殖することを特徴としたマグロの養殖、及びその装置。
【発明の詳細な説明】
【技術分野】
【０００１】
生け簀網（１）を使用して本マグロ、ビンナガ、メバチ、及びキハダ（以下、略して、マグロとする）を養殖することを目的とした養殖網に関するものである。
【背景技術】
【０００２】
マグロは大きくて、直進性にスピードが速く遊泳をする魚種なので、マグロを養殖する生け簀網（１）の構造は円形形状、又は八角形形状（以下、略して、円形形状とする）をした形状で、最低でも、直径が２０ｍ以上で、深さが１０ｍの円形形状をした生け簀網（１）を使用してマグロを養殖しているのが現状である。
【発明の概要】
【発明が解決しようとする課題】
【０００３】
生け簀網（１）の構造が円形形状で、最低でも、直径が２０ｍ以上の直径がなければ養殖が出来ないマグロの養殖を、直径が２０ｍ以下である、例えば、１０ｍ以下で、また、円形形状以外の形状である、例えば、４角形状、又は長方形状をした生け簀網（１）を使用してのマグロ養殖を提供することを解決手段とする。
【発明の効果】
【０００４】
マグロを養殖する目的の生け簀網（１）が、素材が銅、又は鉄を亜鉛メッキしている針金を使用して出来ている金網を使用して出来ている生け簀網（１）、又は無結節漁網、又は蛙又漁網、又は亀甲網（以下、略して、漁網とする）を構成している漁網を構成している糸の内部に、銅線を入れている糸を使用して、編網をしている魚網を使用して、マグロを養殖している生け簀網（１）の銅線に交流、又は直流（以下、略して、交流とする）を印加して、生け簀網（１）に交流の電流を常時印加をして交流電流を流すか、又はパルス波長の交流電流を印加している、生け簀網（１）を使用してマグロ養殖をすることにより、マグロは生け簀網（１）に衝突をすることがなくなるので、下記の（１）から（６）にて記載をしているような効果がある。
【０００５】
（１）の効果としては、生け簀網（１）の直径を２０ｍ以下の直径とすることが出来る。例えば、１０ｍ以下の生け簀網（１）でもマグロの養殖が出来ることになる。
【０００６】
（２）の効果としては、生け簀網（１）にマグロが衝突をして首を骨折しての死亡率が減少をすることになる。
【０００７】
（３）の効果としては、マグロの養殖を行なう目的の生け簀網（１）の形状は円形形状でないと、マグロの養殖は出来ないとの定説を覆して、例えば、４角形状、又は長方形状の生け簀網（１）の形状でもマグロの養殖を可能とすることになる。
【０００８】
（４）の効果としては、従来、タイ、ハマチ、フ゛リ（以下、略して、ハマチとする）などを養殖している生け簀網（１）は、１０ｍ×１０ｍの４角形状で、深さは１０ｍである、この１０ｍ×１０ｍの４角形状をした生け簀網（１）を、図１に示しているように、銅線入りの糸を使用して編網をした漁網を使用して、交流電流を印加して流している生け簀網（１）に変更をすることにより、ハマチを養殖している１０ｍ×１０ｍの４角形状で、深さが１０ｍの生け簀網（１）が、マグロの養殖を行なうことが出来る生け簀網（１）に変化をさせることが出来るので、付加価値が高い養殖事業とすることになる。
【０００９】
（５）の効果としては、従来、ハマチなどを養殖している１０ｍ×１０ｍの４角形状の生け簀網（１）の内側に、図２、及び図３に示しているように、素材が銅、又は鉄を亜鉛メッキをした素材で出来ている金網を、１０ｍ×１０ｍの４角形状をした生け簀網（１）の内側の内壁に沿って４角形状をした金網を取り付けるか、又は図３に示しているように、円形形状に生け簀網（１）の内側の内壁に取り付けている円形形状をした金網に交流の電圧を印加して、交流電流を流している生け簀網（１）を使用してマグロを養殖すると、上記にて説明をしたように、ハマチなどを養殖している生け簀網（１）を、容易に転用をして、付加価値が高いマグロの養殖をすることが出来ることになる。
【００１０】
（６）の効果としては、所在地が大分県佐伯市海崎海崎上１３７３−１０で、会社名が大分養殖金網（株）が製造販売をしている、素材は鉄で出来ている針金で、直径が４ｍｍの針金を使用して出来ている金網の、金網の目と目の直径が５ｃｍから１０ｃｍの金網で出来ている、直径が１０ｍの円形形状、又は直径が２０ｍの円形形状を最大の直径の上限として、深さが１０ｍの金網で出来ている養殖網（１）である、図１に示している、生け簀網（１）に電圧をＯＶから１３０Ｖまでの任意の電圧に調節をすることが出来る変圧器であるスライダックを使用して、例えば、図１に示している、金網で出来ている生け簀網（１）に電圧は１３０Ｖで、電流値が５０Ａ、又は１００Ａの交流電圧を印加している、金網で出来ている金網の生け簀網（１）の直径が１０ｍ、又は直径が２０ｍで、深さが１０ｍの金網で出来ている養殖網（１）の内部に於いてマグロの養殖をすると、電気殺菌効果による高密度のマグロの養殖が出来て、病原菌による発症を極力低下をさせた、安全なマグロの養殖を目的とした金網で出来ている生け簀網（１）が出来上がることになる。
【図面の簡単な説明】
【００１１】
【図１】図１に示しているのは、銅、又は鉄を亜鉛メッキしている針金を使用して出来ている金網を使用して出来ている生け簀網（１）、又は銅線を入れて出来ている導電性の糸を使用して、編網をしている漁網を使用して、例えば、１０ｍの円形形状をした形状にて出来ている、生け簀網（１）に交流（ＡＣ）を印加して交流電流を流している生け簀網（１）の内部にてマグロ（３）を養殖している縦断面図を、図１に示している。
【図２】図２に示しているのは、銅、又は鉄を亜鉛メッキしている針金を使用して出来ている金網を使用して出来ている生け簀網（１）、又は銅線を入れて出来ている導電性の糸を使用して、編網をしている漁網を使用して、例えば、１０ｍの円形形状をした形状にて出来ている、生け簀網（１）に交流（ＡＣ）を印加して交流電流を流している生け簀網（１）の内部にてマグロ（３）を養殖している平面図を、図２に示している。
【図３】図３に示しているのは、例えば、１０ｍ×１０ｍの４角形状をした生け簀網（１）の内側の内壁に沿って、素材が銅、又は鉄を亜鉛メッキをした導電性の金網で出来ている４角形状をした、金網（４）に交流（ＡＣ）を印加して交流電流を流している、生け簀網（１）の内部にてマグロ（３）を養殖している平面図を、図３に示している。
【図４】図４に示しているのは、例えば、１０ｍ×１０ｍの４角形状をした生け簀網（１）の内側の内壁に沿って、素材が銅、又は鉄を亜鉛メッキをした導電性の金網で出来ている円形形状をした、金網（５）に交流（ＡＣ）を印加して交流電流を流している、生け簀網（１）の内部にてマグロ（３）を養殖している平面図を、図４に示している。
【図５】図５に示しているのは、例えば、直径が１０ｍで、深さが１０ｍのポリエチレン樹脂などで出来ている生け簀網（１）の内側に、例えば、９０００Ｖのパルス波長の電流を印加して、マグロが生け簀網（１）に衝突をするのを防止する目的のために、生け簀網（１）の内側に海水面に対して平行状態の横方向に数１０本の電線（６）、及び（７）を生け簀網（１）の内側に沿って、生け簀網（１）の周りにパルス波長の電流を印加する目的のための電線（６）、及び（７）を生け簀網（１）に取り付けている縦断面図を、図５に示している。
【図６】図６に示しているのは、例えば、直径が１０ｍで、深さが１０ｍのポリエチレン樹脂などで出来ている生け簀網（１）の内側に、例えば、マグロが生け簀網（１）に衝突をするのを防止する目的のために、生け簀網（１）の内側に海水面に対して平行状態の横方向に数１０本の有刺鉄線（８）を生け簀網（１）の内側に沿って、生け簀網（１）の周りに有刺鉄線（８）を生け簀網（１）に取り付けている縦断面図を、図６に示している。
【発明を実施するための形態】
【実施例１】
【００１２】
マグロを養殖する目的の生け簀網（１）が、素材が銅、又は鉄を亜鉛メッキしている針金を使用して出来ている金網を使用して出来ている生け簀網（１）、又は銅線を入れて出来ている導電性の糸を使用して、編網をしている漁網を使用して、例えば、１０ｍの円形形状をした形状にて出来ている、生け簀網（１）に交流（ＡＣ）を印加して交流電流を流して電流の防御壁を生け簀網（１）の内側に形成をしている、生け簀網（１）の内部にてマグロ（３）を養殖することを実施例１とする。
【実施例２】
【００１３】
マグロを養殖する目的の生け簀網（１）が、例えば、１０ｍ×１０ｍの４角形状をした生け簀網（１）の内側の内壁に沿って、素材が銅、又は鉄を亜鉛メッキをした導電性の金網で出来ている４角形状をした、金網（４）に交流（ＡＣ）を印加して、交流電流を流して電流の防御壁を生け簀網（１）の内側に形成をしている、生け簀網（１）の内部にてマグロ（３）を養殖することを実施例２とする。
【実施例３】
【００１４】
マグロを養殖する目的の生け簀網（１）が、例えば、１０ｍ×１０ｍの４角形状をした生け簀網（１）の内側の内壁に沿って、素材が銅、又は鉄を亜鉛メッキをした導電性の金網で出来ている円形形状をした金網（５）に交流（ＡＣ）を印加して交流電流を流して電流の防御壁を生け簀網（１）の内側に形成をしている、生け簀網（１）の内部にてマグロ（３）を養殖することを実施例３とする。
【実施例４】
【００１５】
マグロを養殖する目的の生け簀網（１）が、例えば、直径が１０ｍで、深さが１０ｍのポリエチレン樹脂などで出来ている生け簀網（１）の内側に、例えば、９０００Ｖのパルス波長の電流を印加して、マグロが生け簀網（１）に衝突をするのを防止する目的のために、生け簀網（１）の内側に海水面に対して平行状態の横方向に数１０本の電線（６）、及び（７）を生け簀網（１）の内側に沿って、生け簀網（１）の周りにパルス波長の電流を印加する目的のための電線（６）、及び（７）を生け簀網（１）に取り付けている、生け簀網（１）の内部にてマグロ（３）を養殖することを実施例４とする。
【実施例５】
【００１６】
マグロを養殖する目的の生け簀網（１）が、例えば、直径が１０ｍで、深さが１０ｍのポリエチレン樹脂などで出来ている生け簀網（１）の内側に、例えば、マグロが生け簀網（１）に衝突をするのを防止する目的のために、生け簀網（１）の内側に海水面に対して平行状態の横方向に数１０本の有刺鉄線（８）を生け簀網（１）の内側に沿って、生け簀網（１）の周りに有刺鉄線（８）を生け簀網（１）に取り付けている、生け簀網（１）の内部にてマグロ（３）を養殖することを実施例５とする。
【産業上の利用可能性】
【００１７】
マグロの養殖を行なうためには、最低、直径が２０ｍ以下で、深さが１０ｍの円形形状をした生け簀網（１）でないとマグロの養殖は出来ないとされている。けれども、生け簀網（１）を導電性とした生け簀網（１）に交流電流（ＡＣ）を印加するか、または、生け簀網（１）の内壁に沿って、素材が銅、又は鉄を亜鉛メッキをした金網で出来ている４角形状、又は円形形状をした導電性の金網（１）、（４）、及び（５）に交流（ＡＣ）を印加して交流電流を流して電流の防御壁を生け簀網（１）の内側に４角形状、又は円形形状に電流の防御壁を形成している、生け簀網（１）の内部にてマグロ（３）を養殖するので、従来、ハマチなどを養殖している１０ｍ×１０ｍの４角形状で、深さが１０ｍの、ハマチ養殖の施設を転用してハマチの養殖事業よりも、より一段と付加価値が高いマグロの養殖事業を可能とすることになった。
【符号の説明】
【００１８】
１  導電性の生け簀網、又は金網で出来ている生け簀網（以下、略して、生け簀網とする）
２  フロート
３  マグロ
４  導電性の金網で出来ている４角形状をした金網
５  導電性の金網で出来ている円形形状をした金網
６、及び７  パルス波長の超高圧の交流を印加する目的のために生け簀網に取り付けている電線
８  有刺鉄線
【図１】
2013215117.tif 000003
【図２】
2013215117.tif 000004
【図３】
2013215117.tif 000005
【図４】
2013215117.tif 000006
【図５】
2013215117.tif 000007
【図６】
2013215117.tif 000008